(57)【要約】【課題】葉物等の長さや幅のある野菜類や食品の最適組み合わせを測定指示し、作業効率を改善した組み合わせ計量機及び計量方法を実現する。【解決手段】複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該計量皿は載置方向の両側面に立ち上がり部を有し、且つ、該計量皿は横幅に対して縦方向の長さが１．５倍以上であるものを用いる。【選択図】図１
2018054345.tif 000002
【特許請求の範囲】
【請求項１】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機において、
該計量皿は載置方向の両側面に立ち上がり部を有し、
且つ、該計量皿は横幅に対して縦方向の長さが１．５倍以上であるものを用いたことを特徴とする、
組み合わせ計量機。
【請求項２】
該組み合わせ計量機の計量皿は、
さらに両側の上端が外側に張り出した部分を有するものを用いたことを特徴とする、
請求項１記載の組み合わせ計量機。
【請求項３】
該組み合わせ計量機の計量皿は、
樹脂製であることを特徴とする、
請求項１又は２に記載の組み合わせ計量機。
【請求項４】
該組み合わせ計量機の計量皿は、
二列に配置されてなり、
且つ、その配置が交互になるようにずらして配置されることを特徴とする、
請求項１乃至３の何れか一に記載の組み合わせ計量機。
【請求項５】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機において、
該組み合わせ計量機の計量皿は、
一列に配置されてなり、
且つ、各列の計量皿の両側に指示機構が備えられ、
各計量皿に関する指示が両側に対して同時に行われることを特徴とする、
組み合わせ計量機。
【請求項６】
該組み合わせ計量機の計量皿は、
一列に配置されてなり、
且つ、各列の計量皿の両側に指示機構が備えられ、
各計量皿に関する指示が両側に対して同時に行われることを特徴とする、
請求項１乃至３の何れか一に記載の組み合わせ計量機。
【請求項７】
該計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項３記載の組み合わせ計量機。
【請求項８】
該計量皿は、
一部あるいは全体が透光性の部材で形成され、
該透光性の部材の部位から該選択された最適組み合わせの重量計測部位を示す指示機構の指示を視認しうることを特徴とする、
請求項１乃至７のいずれか一に記載の組み合わせ計量機。
【請求項９】
該組み合わせ計量機は、
重量計測部位における測定重量データを取得し、該重量が規定重量以上であり且つ許容範囲内であることを計算する手段と、
該重量が前記範囲内であることを示す指示機構を有し、
該計量部は夫々計量皿部とロードセルによる計量部を含む本体部の連結部に防水構造を備えてなり、
該連結部の防水構造は合成樹脂薄膜を備え、
該合成樹脂薄膜は本体の計量皿側表面に接着剤で接着固定され、
該合成樹脂薄膜の粘弾性により計量に影響を与えることなく防水機能を備えることを特徴とする、
請求項１乃至８のいずれか一に記載の組み合わせ計量機。
【請求項１０】
該組み合わせ計量機において、
該選択された最適組み合わせが存在しない場合、近似値の範囲に包含される重量組み合わせの重量計測部位を指示することを特徴とする、
請求項１乃至９のいずれか一に記載の組み合わせ計量機。
【請求項１１】
該組み合わせ計量機において、
該選択された最適組み合わせ或いは近似値の範囲に包含される重量組み合わせの重量計測部位を示す指示機構が灯火によるものであって、
該選択された最適組み合わせの重量計測部位を示す場合は指示機構の灯火が連続点灯し、
該近似値の範囲に包含される重量組み合わせの重量計測部位を示す場合は指示機構の灯火が点滅することを特徴とする、
請求項１０記載の組み合わせ計量機。
【請求項１２】
該組み合わせ計量機において、
該選択された最適組み合わせ或いは近似値の範囲に包含される重量組み合わせの重量計測部位を示す指示機構が多色に点灯する着色灯火であって、
該選択された最適組み合わせの重量計測部位を示す場合の指示機構の点灯色と、
該近似値の範囲に包含される重量組み合わせの重量計測部位を示す場合の指示機構の点灯色が異なることを特徴とする、
請求項１１記載の組み合わせ計量機。
【請求項１３】
該組み合わせ計量機において、
該指示機構の灯火は、
ＬＥＤによることを特徴とする、
請求項１０乃至１２のいずれか一に記載の組み合わせ計量機。
【請求項１４】
該組み合わせ計量機において、
該選択された最適組み合わせ或いは近似値の範囲に包含される重量組み合わせの重量計測部位を示す指示機構は、
音声によることを特徴とする、
請求項１０記載の組み合わせ計量機。
【請求項１５】
該組み合わせ計量機において、
該選択された最適組み合わせ或いは近似値の範囲に包含される重量組み合わせの重量計測部位を示す指示機構は、
ブザー又はスピーカーであることを特徴とする、
請求項１４記載の組み合わせ計量機。
【請求項１６】
該組み合わせ計量機において、
規定重量範囲内の最適組み合わせが存在しない場合であって近似値の範囲に包含される重量組み合わせに係る組み合わせ重量を表示する表示機構は、
デジタル表示装置であることを特徴とする、
請求項１０乃至１３の何れか一に記載の組み合わせ計量機。
【請求項１７】
該重量計測部位に用いる計量皿は、サイズの異なる計量皿に交換して用いる事ができることを特徴とする、
請求項１乃至１６のうちのいずれか一に記載の防水機構を有する組み合わせ計量機。
【請求項１８】
該重量計測部位に用いる計量皿は、サイズの異なる計量皿を混在して用い、
親子計量ができることを特徴とする、
請求項１７記載の組み合わせ計量機。
【請求項１９】
該重量計測部位に用いる計量皿は、形状の異なる計量皿に交換して用いる事ができることを特徴とする、
請求項１乃至１７のうちのいずれか一に記載の組み合わせ計量機。
【請求項２０】
該重量計測部位に用いる計量皿は、相対する列において計量皿の中心位置がずらして配列され、
且つ、サイズの異なる計量皿を混在して用いてなることを特徴とする、
請求項４、１７、１８の何れか一に記載の組み合わせ計量機。
【請求項２１】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機の使用法であって、
該計量皿は載置方向の両側面に立ち上がり部を有し、
且つ、該計量皿は横幅に対して縦方向の長さが１．５倍以上であるものを用い、
葉物等の長さや幅のある野菜類や食品の載置を容易にしたことを特徴とする、
組み合わせ計量機を用いた計量方法。
【請求項２２】
該組み合わせ計量機の計量皿は、
さらに両側の上端が外側に張り出した部分を有するものを用いたことを特徴とする、
請求項２１記載の組み合わせ計量機を用いた計量方法。
【請求項２３】
該組み合わせ計量機の計量皿は、
樹脂製であることを特徴とする、
請求項２１又は２２に記載の組み合わせ計量機を用いた計量方法。
【請求項２４】
該組み合わせ計量機の計量皿は、
二列に配置されてなり、
且つ、その配置が交互になるようにずらして配置され、
葉物などの長さや幅のある野菜類の載置を容易にしたことを特徴とする、
請求項２１乃至２３の何れか一に記載の組み合わせ計量機を用いた計量方法。
【請求項２５】
複数の重量計測部位と、
該複数の重量計測部位における測定重量データを取得し、これらから組み合わせ重量を計算する手段と、
該組み合わせ重量が規定重量以上であり且つ最小となる最適組み合わせを計算する手段と、
該選択された最適組み合わせの重量計測部位を示す指示機構を有し、
作業者が前記指示に則り最適組み合わせに該当する物品をピックアップする組み合わせ計量機において、
該組み合わせ計量機の計量皿は、
一列に配置されてなり、
且つ、各列の計量皿の両側に指示機構が備えられ、
各計量皿に関する指示が両側に対して同時に行われることにより、
一方の側から葉物などの長さや幅のある野菜類の載置を行い、逆側からピックアップを行うことが出来、その際に載置側からもピックアップ側からも最適組み合わせ位置が確認出来、
葉物等の長さや幅のある野菜類や食品の載置及びピックアップをを容易にするとともに作業効率を向上したことを特徴とする、
組み合わせ計量機を用いた計量方法。
【請求項２６】
該組み合わせ計量機の計量皿は、
一列に配置されてなり、
且つ、各列の計量皿の両側に指示機構が備えられ、
各計量皿に関する指示が両側に対して同時に行われることにより、
一方の側から葉物などの長さや幅のある野菜類の載置を行い、逆側からピックアップを行うことが出来、その際に載置側からもピックアップ側からも最適組み合わせ位置が確認出来、
葉物等の長さや幅のある野菜類や食品の載置及びピックアップを容易にするとともに作業効率を向上したことを特徴とする、
請求項２１乃至２３の何れか一に記載の組み合わせ計量機。
【請求項２７】
該計量皿は、
合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする、
請求項２３記載の組み合わせ計量機を用いた計量方法。
【請求項２８】
該計量皿は、
一部あるいは全体が透光性の部材で形成され、
該透光性の部材の部位から該選択された最適組み合わせの重量計測部位を示す指示機構の指示を視認しうることを特徴とする、
請求項２１乃至２７のいずれか一に記載の組み合わせ計量機を用いた計量方法。
【請求項２９】
該組み合わせ計量機は、
重量計測部位における測定重量データを取得し、該重量が規定重量以上であり且つ許容範囲内であることを計算する手段と、
該重量が前記範囲内であることを示す指示機構を有し、
該計量部は夫々計量皿部とロードセルによる計量部を含む本体部の連結部に防水構造を備えてなり、
該連結部の防水構造は合成樹脂薄膜を備え、
該合成樹脂薄膜は本体の計量皿側表面に接着剤で接着固定され、
該合成樹脂薄膜の粘弾性により計量に影響を与えることなく防水機能を備えることを特徴とする、
請求項２１乃至２８のいずれか一に記載の組み合わせ計量機を用いた計量方法。
【請求項３０】
該組み合わせ計量機において、
該選択された最適組み合わせが存在しない場合、近似値の範囲に包含される重量組み合わせの重量計測部位を指示することを特徴とする、
請求項２１乃至２９のいずれか一に記載の組み合わせ計量機。
【請求項３１】
該組み合わせ計量機において、
該選択された最適組み合わせ或いは近似値の範囲に包含される重量組み合わせの重量計測部位を示す指示機構が灯火によるものであって、
該選択された最適組み合わせの重量計測部位を示す場合は指示機構の灯火が連続点灯し、
該近似値の範囲に包含される重量組み合わせの重量計測部位を示す場合は指示機構の灯火が点滅することを特徴とする、
請求項２０記載の組み合わせ計量機を用いた計量方法。
【請求項３２】
該組み合わせ計量機において、
該選択された最適組み合わせ或いは近似値の範囲に包含される重量組み合わせの重量計測部位を示す指示機構が多色に点灯する着色灯火であって、
該選択された最適組み合わせの重量計測部位を示す場合の指示機構の点灯色と、
該近似値の範囲に包含される重量組み合わせの重量計測部位を示す場合の指示機構の点灯色が異なることを特徴とする、
請求項３１記載の組み合わせ計量機を用いた計量方法。
【請求項３３】
該組み合わせ計量機において、
該指示機構の灯火は、
ＬＥＤによることを特徴とする、
請求項３０乃至３２のいずれか一に記載の組み合わせ計量機を用いた計量方法。
【請求項３４】
該組み合わせ計量機において、
該選択された最適組み合わせ或いは近似値の範囲に包含される重量組み合わせの重量計測部位を示す指示機構は、
音声によることを特徴とする、
請求項３０記載の組み合わせ計量機を用いた計量方法。
【請求項３５】
該組み合わせ計量機において、
該選択された最適組み合わせ或いは近似値の範囲に包含される重量組み合わせの重量計測部位を示す指示機構は、
ブザー又はスピーカーであることを特徴とする、
請求項３４記載の組み合わせ計量機を用いた計量方法。
【請求項３６】
該組み合わせ計量機において、
規定重量範囲内の最適組み合わせが存在しない場合であって近似値の範囲に包含される重量組み合わせに係る組み合わせ重量を表示する表示機構は、
デジタル表示装置であることを特徴とする、
請求項３０乃至３４の何れか一に記載の組み合わせ計量機を用いた計量方法。
【請求項３７】
該組み合わせ計量機において、
複数の重量計測部位はプラスチック部材で形成されることを特徴とする、
請求項２１乃至３６のうちのいずれか一に記載の組み合わせ計量機を用いた計量方法。
【請求項３８】
該重量計測部位に用いる計量皿は、サイズの異なる計量皿に交換して用いる事ができることを特徴とする、
請求項３７記載の組み合わせ計量機を用いた計量方法。
【請求項３９】
該重量計測部位に用いる計量皿は、サイズの異なる計量皿を混在して用い、
親子計量ができることを特徴とする、
請求項３８記載の組み合わせ計量機を用いた計量方法。
【請求項４０】
該重量計測部位に用いる計量皿は、形状の異なる計量皿に交換して用いる事ができることを特徴とする、
請求項２１乃至３９のうちのいずれか一に記載の組み合わせ計量機を用いた計量方法。
【請求項４１】
該重量計測部位に用いる計量皿は、相対する列において計量皿の中心位置がずらして配列され、
且つ、サイズの異なる計量皿を混在して用いてなることを特徴とする、
請求項２４、３８、３９或いは４０の何れか一に記載の組み合わせ計量機を用いた計量方法。
【発明の詳細な説明】
【技術分野】
【０００１】
本発明は、葉物等の長さや幅のある野菜類や食品の最適組み合わせを測定指示し、作業効率を改善した組み合わせ計量機及びその組み合わせ計量機を用いた計量方法に関するものである。
【背景技術】
【０００２】
食品等の販売にあたっては、内容量を秤量し、規定の量目を下回らないようにする必要がある。表示された量目を下回れば、購買者を欺くことになるからである。しかし、徒に規定の量目からかけ離れて多量の商品を入れれば、コストアップに繋がり不経済である。
【０００３】
かかる矛盾は基本的にそれぞれ大きさ、形、重量ともに均一でない農産物において顕著である。例えば野菜の販売においても１本、１個、１株といった単位で販売されることはほとんどなく、ある程度の量目で袋詰めして販売されることが主流であり、規定の量目を下回らず且つ最小となる組み合わせを秤量することが求められる。
【０００４】
そこで、量産ベースの食品工場や大規模な出荷センターなどでは対象となる商品を自動搬送し、組み合わせ計量機に載置、規定の重量以上且つ最小となる組み合わせを秤量して、これをホッパ等で選択的に排出して袋詰め等の包装まで行う自動機を導入し使用している例が多い。
【０００５】
しかし、個別の農家や小規模の出荷組合等に於いては大規模で高価な自動機の組み合わせ計量機を導入する余裕はなく、手作業による秤量選別が行われているのが実情である。また、単体の計量機或いは組み合わせ計量機を問わず、計量対象に水滴の付着した野菜類、泥や土の付着した野菜類、水分含有量の多い食品類或いは軟弱な食品類に対応して、防水構造により水分及び／又は汚染物の測定部への侵入を防止し、安定した計測を行えるものは非常に高価な装置であり、、個別の農家や小規模の出荷組合等に於いては導入が難しかった。
【先行技術文献】
【特許文献】
【０００６】
【特許文献１】特開平８ー３１３３３３号公報
【特許文献２】特開２００２ー１６６２３２号公報
【特許文献３】特開２００８ー２９２１９４号公報
【発明の概要】
【発明が解決しようとする課題】
【０００７】
個別の農家や小規模の出荷組合等に於ける作業には、手作業を効率化するための機器が求められているが、前記のような自動機はそのコストが非常に高く、導入することは困難である。また、個別の農家や小規模の出荷組合等では頻繁な対象商品の切り替えが必要でその段取り変更は自動機では却って煩雑となる。
【０００８】
これらの課題を解決するため、簡素な構成でコストが安く、各種の野菜等の商品に簡単な段取り変更で対応可能であるとともに、効率の良い作業が可能な組み合わせ計量機を実現することが急務となっている。
【０００９】
また、野菜等の秤量に際しては葉物等の長さや幅のある野菜類や食品を扱うことが多々あるが、通常の秤量はかり或いは組み合わせ計量機に於いてはこのような形状の対象物を安定して載置することや効率良くピックアップすることは非常に困難であり、対策が求められていた。
【課題を解決するための手段】
【００１０】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該計量皿は載置方向の両側面に立ち上がり部を有し、且つ、該計量皿は横幅に対して縦方向の長さが１．５倍以上であるものを用いたことを特徴とする、組み合わせ計量機である。
【００１１】
また本発明は、該組み合わせ計量機の計量皿として、さらに両側の上端が外側に張り出した部分を有するものを用いたことを特徴とする。
【００１２】
また本発明は、該組み合わせ計量機の計量皿が樹脂製であることを特徴とする。
【００１３】
また本発明は、該組み合わせ計量機の計量皿が二列に配置されてなり、且つ、その配置が交互になるようにずらして配置されることを特徴とする。
【００１４】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該組み合わせ計量機の計量皿は、一列に配置されてなり、且つ、各列の計量皿の両側に指示機構が備えられ、各計量皿に関する指示が両側に対して同時に行われることを特徴とする、組み合わせ計量機である。
【００１５】
また本発明は、該組み合わせ計量機の計量皿は一列に配置されてなり、且つ、各列の計量皿の両側に指示機構が備えられ、各計量皿に関する指示が両側に対して同時に行われることを特徴とする。
【００１６】
また本発明は、該計量皿が、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００１７】
また本発明は、該計量皿が、一部あるいは全体が透光性の部材で形成され、該透光性の部材の部位から該選択された最適組み合わせの重量計測部位を示す指示機構の指示を視認しうることを特徴とする。
【００１８】
また本発明は、該組み合わせ計量機は、重量計測部位における測定重量データを取得し、該重量が規定重量以上であり且つ許容範囲内であることを計算する手段と、該重量が前記範囲内であることを示す指示機構を有し、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることを特徴とする。
【００１９】
また本発明は、該組み合わせ計量機において、該選択された最適組み合わせが存在しない場合、近似値の範囲に包含される重量組み合わせの重量計測部位を指示することを特徴とする。また、該選択された最適組み合わせ或いは近似値の範囲に包含される重量組み合わせの重量計測部位を示す指示機構が灯火によるものであって、該選択された最適組み合わせの重量計測部位を示す場合は指示機構の灯火が連続点灯し、該近似値の範囲に包含される重量組み合わせの重量計測部位を示す場合は指示機構の灯火が点滅することを特徴とする。
【００２０】
また本発明は、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。
【００２１】
また本発明は、該組み合わせ計量機において、該指示機構の灯火は、ＬＥＤによることを特徴とする。
【００２２】
また本発明は、該組み合わせ計量機において、該選択された最適組み合わせ或いは近似値の範囲に包含される重量組み合わせの重量計測部位を示す指示機構は、音声によることを特徴とする。
【００２３】
また本発明は、該組み合わせ計量機において、該選択された最適組み合わせ或いは近似値の範囲に包含される重量組み合わせの重量計測部位を示す指示機構は、ブザー又はスピーカーであることを特徴とする。
【００２４】
また本発明は、該組み合わせ計量機において、規定重量範囲内の最適組み合わせが存在しない場合であって近似値の範囲に包含される重量組み合わせに係る組み合わせ重量を表示する表示機構は、デジタル表示装置であることを特徴とする。また本発明は、該組み合わせ計量機において、複数の重量計測部位はプラスチック部材で形成されることを特徴とする。
【００２５】
また本発明は、該重量計測部位に用いる計量皿は、サイズの異なる計量皿に交換して用いる事ができることを特徴とする。さらに、該重量計測部位に用いる計量皿は、サイズの異なる計量皿を混在して用い、親子計量ができることを特徴とする
【００２６】
また本発明は、該重量計測部位に用いる計量皿は、形状の異なる計量皿に交換して用いる事ができることを特徴とする。
【００２７】
また本発明は、該重量計測部位に用いる計量皿は、相対する列において計量皿の中心位置がずらして配列され、且つ、サイズの異なる計量皿を混在して用いてなることを特徴とする。
【００２８】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機の使用法であって、該計量皿は載置方向の両側面に立ち上がり部を有し、且つ、該計量皿は横幅に対して縦方向の長さが１．５倍以上であるものを用い、葉物等の長さや幅のある野菜類や食品の載置を容易にしたことを特徴とする、組み合わせ計量機を用いた計量方法である。
【００２９】
また本発明は、該組み合わせ計量機の計量皿として、さらに両側の上端が外側に張り出した部分を有するものを用いたことを特徴とする。
【００３０】
また本発明は、該組み合わせ計量機の計量皿が樹脂製であることを特徴とする。
【００３１】
また本発明は、該組み合わせ計量機の計量皿が二列に配置されてなり、且つ、その配置が交互になるようにずらして配置されることを特徴とする。
【００３２】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該組み合わせ計量機の計量皿は、一列に配置されてなり、且つ、各列の計量皿の両側に指示機構が備えられ、各計量皿に関する指示が両側に対して同時に行われることにより、一方の側から葉物などの長さや幅のある野菜類の載置を行い、逆側からピックアップを行うことが出来、その際に載置側からもピックアップ側からも最適組み合わせ位置が確認出来、葉物等の長さや幅のある野菜類や食品の載置及びピックアップをを容易にするとともに作業効率を向上したことを特徴とする、組み合わせ計量機を用いた計量方法である。
【００３３】
また本発明は、該組み合わせ計量機の計量皿は一列に配置されてなり、且つ、各列の計量皿の両側に指示機構が備えられ、各計量皿に関する指示が両側に対して同時に行われることを特徴とする。
【００３４】
また本発明は、該計量皿が、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００３５】
また本発明は、該計量皿が、一部あるいは全体が透光性の部材で形成され、該透光性の部材の部位から該選択された最適組み合わせの重量計測部位を示す指示機構の指示を視認しうることを特徴とする。
【００３６】
また本発明は、該組み合わせ計量機は、重量計測部位における測定重量データを取得し、該重量が規定重量以上であり且つ許容範囲内であることを計算する手段と、該重量が前記範囲内であることを示す指示機構を有し、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることを特徴とする。
【００３７】
また本発明は、該組み合わせ計量機において、該選択された最適組み合わせが存在しない場合、近似値の範囲に包含される重量組み合わせの重量計測部位を指示することを特徴とする。また、該選択された最適組み合わせ或いは近似値の範囲に包含される重量組み合わせの重量計測部位を示す指示機構が灯火によるものであって、該選択された最適組み合わせの重量計測部位を示す場合は指示機構の灯火が連続点灯し、該近似値の範囲に包含される重量組み合わせの重量計測部位を示す場合は指示機構の灯火が点滅することを特徴とする。
【００３８】
また本発明は、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。
【００３９】
また本発明は、該組み合わせ計量機において、該指示機構の灯火は、ＬＥＤによることを特徴とする。
【００４０】
また本発明は、該組み合わせ計量機において、該選択された最適組み合わせ或いは近似値の範囲に包含される重量組み合わせの重量計測部位を示す指示機構は、音声によることを特徴とする。
【００４１】
また本発明は、該組み合わせ計量機において、該選択された最適組み合わせ或いは近似値の範囲に包含される重量組み合わせの重量計測部位を示す指示機構は、ブザー又はスピーカーであることを特徴とする。
【００４２】
また本発明は、該組み合わせ計量機において、規定重量範囲内の最適組み合わせが存在しない場合であって近似値の範囲に包含される重量組み合わせに係る組み合わせ重量を表示する表示機構は、デジタル表示装置であることを特徴とする。
【００４３】
また本発明は、該組み合わせ計量機において、複数の重量計測部位はプラスチック部材で形成されることを特徴とする。
【００４４】
また本発明は、該重量計測部位に用いる計量皿は、サイズの異なる計量皿に交換して用いる事ができることを特徴とする。さらに、該重量計測部位に用いる計量皿は、サイズの異なる計量皿を混在して用い、親子計量ができることを特徴とする
【００４５】
また本発明は、該重量計測部位に用いる計量皿は、形状の異なる計量皿に交換して用いる事ができることを特徴とする。
【００４６】
また本発明は、該重量計測部位に用いる計量皿は、相対する列において計量皿の中心位置がずらして配列され、且つ、サイズの異なる計量皿を混在して用いてなることを特徴とする。
【発明の効果】
【００４７】
本発明に係る組み合わせ計量機及び組み合わせ計量機を用いた計量方法は、簡素な構成で葉物等の長さや幅のある野菜類や食品の最適組み合わせを測定指示し、作業効率を改善した組み合わせ計量機及びその組み合わせ計量機を用いた計量方法を実現し、もって社会に資することが出来る。
【図面の簡単な説明】
【００４８】
【図１】図１は、本発明に係る組み合わせ計量機に用いられる計量皿の一例を示す概念図である。
【図２】図２は、本発明に係る組み合わせ計量機の構成例を示す概念図である。
【図３】図３は、本発明に係る組み合わせ計量機の他の構成例を示す概念図である。
【発明を実施するための形態】
【００４９】
本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該計量皿は載置方向の両側面に立ち上がり部を有し、且つ、該計量皿は横幅に対して縦方向の長さが１．５倍以上であるものを用いたことを特徴とする、組み合わせ計量機である。
【００５０】
また本発明は、該組み合わせ計量機の計量皿として、さらに両側の上端が外側に張り出した部分を有するものを用いたことを特徴とする。
【００５１】
また本発明は、該組み合わせ計量機の計量皿が樹脂製であることを特徴とする。
【００５２】
また本発明は、該組み合わせ計量機の計量皿が二列に配置されてなり、且つ、その配置が交互になるようにずらして配置されることを特徴とする。
【００５３】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該組み合わせ計量機の計量皿は、一列に配置されてなり、且つ、各列の計量皿の両側に指示機構が備えられ、各計量皿に関する指示が両側に対して同時に行われることを特徴とする、組み合わせ計量機である。
【００５４】
また本発明は、該組み合わせ計量機の計量皿は一列に配置されてなり、且つ、各列の計量皿の両側に指示機構が備えられ、各計量皿に関する指示が両側に対して同時に行われることを特徴とする。
【００５５】
また本発明は、該計量皿が、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００５６】
また本発明は、該計量皿が、一部あるいは全体が透光性の部材で形成され、該透光性の部材の部位から該選択された最適組み合わせの重量計測部位を示す指示機構の指示を視認しうることを特徴とする。
【００５７】
また本発明は、該組み合わせ計量機は、重量計測部位における測定重量データを取得し、該重量が規定重量以上であり且つ許容範囲内であることを計算する手段と、該重量が前記範囲内であることを示す指示機構を有し、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることを特徴とする。
【００５８】
また本発明は、該組み合わせ計量機において、該選択された最適組み合わせが存在しない場合、近似値の範囲に包含される重量組み合わせの重量計測部位を指示することを特徴とする。また、該選択された最適組み合わせ或いは近似値の範囲に包含される重量組み合わせの重量計測部位を示す指示機構が灯火によるものであって、該選択された最適組み合わせの重量計測部位を示す場合は指示機構の灯火が連続点灯し、該近似値の範囲に包含される重量組み合わせの重量計測部位を示す場合は指示機構の灯火が点滅することを特徴とする。
【００５９】
また本発明は、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。
【００６０】
また本発明は、該組み合わせ計量機において、該指示機構の灯火は、ＬＥＤによることを特徴とする。
【００６１】
また本発明は、該組み合わせ計量機において、該選択された最適組み合わせ或いは近似値の範囲に包含される重量組み合わせの重量計測部位を示す指示機構は、音声によることを特徴とする。
【００６２】
また本発明は、該組み合わせ計量機において、該選択された最適組み合わせ或いは近似値の範囲に包含される重量組み合わせの重量計測部位を示す指示機構は、ブザー又はスピーカーであることを特徴とする。
【００６３】
また本発明は、該組み合わせ計量機において、規定重量範囲内の最適組み合わせが存在しない場合であって近似値の範囲に包含される重量組み合わせに係る組み合わせ重量を表示する表示機構は、デジタル表示装置であることを特徴とする。
【００６４】
また本発明は、該組み合わせ計量機において、複数の重量計測部位はプラスチック部材で形成されることを特徴とする。
【００６５】
また本発明は、該重量計測部位に用いる計量皿は、サイズの異なる計量皿に交換して用いる事ができることを特徴とする。さらに、該重量計測部位に用いる計量皿は、サイズの異なる計量皿を混在して用い、親子計量ができることを特徴とする
【００６６】
また本発明は、該重量計測部位に用いる計量皿は、形状の異なる計量皿に交換して用いる事ができることを特徴とする。
【００６７】
また本発明は、該重量計測部位に用いる計量皿は、相対する列において計量皿の中心位置がずらして配列され、且つ、サイズの異なる計量皿を混在して用いてなることを特徴とする。
【００６８】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機の使用法であって、該計量皿は載置方向の両側面に立ち上がり部を有し、且つ、該計量皿は横幅に対して縦方向の長さが１．５倍以上であるものを用い、葉物等の長さや幅のある野菜類や食品の載置を容易にしたことを特徴とする、組み合わせ計量機を用いた計量方法である。
【００６９】
また本発明は、該組み合わせ計量機の計量皿として、さらに両側の上端が外側に張り出した部分を有するものを用いたことを特徴とする。
【００７０】
また本発明は、該組み合わせ計量機の計量皿が樹脂製であることを特徴とする。
【００７１】
また本発明は、該組み合わせ計量機の計量皿が二列に配置されてなり、且つ、その配置が交互になるようにずらして配置されることを特徴とする。
【００７２】
また本発明は、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該組み合わせ計量機の計量皿は、一列に配置されてなり、且つ、各列の計量皿の両側に指示機構が備えられ、各計量皿に関する指示が両側に対して同時に行われることにより、一方の側から葉物などの長さや幅のある野菜類の載置を行い、逆側からピックアップを行うことが出来、その際に載置側からもピックアップ側からも最適組み合わせ位置が確認出来、葉物等の長さや幅のある野菜類や食品の載置及びピックアップをを容易にするとともに作業効率を向上したことを特徴とする、組み合わせ計量機を用いた計量方法である。
【００７３】
また本発明は、該組み合わせ計量機の計量皿は一列に配置されてなり、且つ、各列の計量皿の両側に指示機構が備えられ、各計量皿に関する指示が両側に対して同時に行われることを特徴とする。
【００７４】
また本発明は、該計量皿が、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されたことを特徴とする。
【００７５】
また本発明は、該計量皿が、一部あるいは全体が透光性の部材で形成され、該透光性の部材の部位から該選択された最適組み合わせの重量計測部位を示す指示機構の指示を視認しうることを特徴とする。
【００７６】
また本発明は、該組み合わせ計量機は、重量計測部位における測定重量データを取得し、該重量が規定重量以上であり且つ許容範囲内であることを計算する手段と、該重量が前記範囲内であることを示す指示機構を有し、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることを特徴とする。
【００７７】
また本発明は、該組み合わせ計量機において、該選択された最適組み合わせが存在しない場合、近似値の範囲に包含される重量組み合わせの重量計測部位を指示することを特徴とする。また、該選択された最適組み合わせ或いは近似値の範囲に包含される重量組み合わせの重量計測部位を示す指示機構が灯火によるものであって、該選択された最適組み合わせの重量計測部位を示す場合は指示機構の灯火が連続点灯し、該近似値の範囲に包含される重量組み合わせの重量計測部位を示す場合は指示機構の灯火が点滅することを特徴とする。
【００７８】
また本発明は、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なることを特徴とする。
【００７９】
また本発明は、該組み合わせ計量機において、該指示機構の灯火は、ＬＥＤによることを特徴とする。
【００８０】
また本発明は、該組み合わせ計量機において、該選択された最適組み合わせ或いは近似値の範囲に包含される重量組み合わせの重量計測部位を示す指示機構は、音声によることを特徴とする。
【００８１】
また本発明は、該組み合わせ計量機において、該選択された最適組み合わせ或いは近似値の範囲に包含される重量組み合わせの重量計測部位を示す指示機構は、ブザー又はスピーカーであることを特徴とする。
【００８２】
また本発明は、該組み合わせ計量機において、規定重量範囲内の最適組み合わせが存在しない場合であって近似値の範囲に包含される重量組み合わせに係る組み合わせ重量を表示する表示機構は、デジタル表示装置であることを特徴とする。
【００８３】
また本発明は、該組み合わせ計量機において、複数の重量計測部位はプラスチック部材で形成されることを特徴とする。
【００８４】
また本発明は、該重量計測部位に用いる計量皿は、サイズの異なる計量皿に交換して用いる事ができることを特徴とする。さらに、該重量計測部位に用いる計量皿は、サイズの異なる計量皿を混在して用い、親子計量ができることを特徴とする
【００８５】
また本発明は、該重量計測部位に用いる計量皿は、形状の異なる計量皿に交換して用いる事ができることを特徴とする。
【００８６】
また本発明は、該重量計測部位に用いる計量皿は、相対する列において計量皿の中心位置がずらして配列され、且つ、サイズの異なる計量皿を混在して用いてなることを特徴とする。
【００８７】
かかる構成及び使用方法により、本発明に係る組み合わせ計量機及び組み合わせ計量機を用いた計量方法は、簡素な構成で葉物等の長さや幅のある野菜類や食品の最適組み合わせを測定指示し、作業効率を改善した組み合わせ計量機及びその組み合わせ計量機を用いた計量方法を実現することが出来た。
【実施例１】
【００８８】
図１は、本発明に係る組み合わせ計量機に用いられる計量皿の一例を示す概念図である。本発明に於いては計量皿は載置方向の両側面に立ち上がり部を有し、且つ、該計量皿は横幅に対して縦方向の長さが１．５倍以上であるものを用いた。これにより、葉物等の長さや幅のある野菜類や食品も簡単且つ確実に載置し、安定した計量が可能となった。
【００８９】
また、本実施例では図１に示されているように両側の上端が外側に張り出した部分を有するものを用いた。これは、本発明の必須要件ではないが、かかる部分の存在により、広がった葉菜の葉の部分等も容易に計量皿内に載置でき、作業効率が向上するとともに計量正確性も向上した。
【００９０】
ここで、組み合わせ計量機の計量皿は樹脂製のものを用いた。これにより、軽量化と同時にコストダウン及び他の機能の付加が可能となり、自由度の向上に効果があった。ここで、該計量皿は、合成樹脂、シリコン樹脂、天然ゴム、合成ゴム、フェノール樹脂・エポキシ樹脂・メラミン樹脂・尿素樹脂・不飽和ポリエステル樹脂・アルキド樹脂・ポリウレタン・熱硬化性ポリイミド等の熱硬化性樹脂、ポリエチレン・ポリプロピレン・ポリ塩化ビニル・ポリ塩化ビニリデン・ポリスチレン・ポリ酢酸ビニル・ポリテトラフルオロエチレン・ABS樹脂・AS樹脂・アクリル樹脂・ポリアミド・ナイロン・ポリアセタール・ポリカーボネート・変性ポリフェニレンエーテル・ポリブチレンテレフタレート・ポリエチレンテレフタレート・環状ポリオレフィン・ポリフェニレンスルファイド・ポリテトラフロロエチレン・ポリスルホン・ポリエーテルサルフォン・非晶ポリアリレート・液晶ポリマー・ポリエーテルエーテルケトン・熱可塑性ポリイミド・ポリアミドイミド等の熱可塑性樹脂、及びこれらの混合材料、及びこれらと繊維類、グラスファイバー、その他の補強材との複合材料、金属材料を含む複合材料、のいずれかで形成されてよい。
【００９１】
また本発明に於いては、該計量皿を、一部あるいは全体が透光性の部材で形成され、該透光性の部材の部位から該選択された最適組み合わせの重量計測部位を示す指示機構の指示を視認しうるようにすることも有効であった。これにより、大型の葉菜などに対応する場合にも指示灯火の視認が容易になり、作業効率が向上する。
【００９２】
図２は、本発明に係る組み合わせ計量機の構成例を示す概念図である。本実施例に於いては、かかる構成に於いて前記の計量皿を装備し、葉物等の長さや幅のある野菜類や食品の載置を容易にした。これにより、簡素な構成で葉物等の長さや幅のある野菜類や食品の最適組み合わせを測定指示し、作業効率を改善した組み合わせ計量機及びその使用方法を実現できた。
【００９３】
また本発明は、該組み合わせ計量機は、重量計測部位における測定重量データを取得し、該重量が規定重量以上であり且つ許容範囲内であることを計算する手段と、該重量が前記範囲内であることを示す指示機構を有し、該計量部は夫々計量皿部とロードセルによる計量部を含む本体部の連結部に防水構造を備えてなり、該連結部の防水構造は合成樹脂薄膜を備え、該合成樹脂薄膜は本体の計量皿側表面に接着剤で接着固定され、該合成樹脂薄膜の粘弾性により計量に影響を与えることなく防水機能を備えることができる。これにより、洗浄後の水滴のついた葉菜などの計量に於いても信頼性が向上し、作業効率も改善する。
【００９４】
また本発明に於いては、該組み合わせ計量機の計量皿が二列に配置されてなり、且つ、その配置が交互になるようにずらして配置されるようにしてもよい。かかる配置にすることで、大型の葉菜などそのサイズが計量皿に比しても長いものであっても干渉することなく全ての計量皿を用いて計量することが可能となる。
【実施例２】
【００９５】
図３は、本発明に係る組み合わせ計量機の他の構成例を示す概念図である。本実施例に於いては、複数の重量計測部位と、該複数の重量計測部位における測定重量データを取得し、これらから組み合わせ重量を計算する手段と、該組み合わせ重量が規定重量以上であり且つ最小となる最適組み合わせを計算する手段と、該選択された最適組み合わせの重量計測部位を示す指示機構を有し、作業者が前記指示に則り最適組み合わせに該当する物品をピックアップする組み合わせ計量機において、該組み合わせ計量機の計量皿は、一列に配置されてなり、且つ、各列の計量皿の両側に指示機構が備えられ、各計量皿に関する指示が両側に対して同時に行われるようにした。
【００９６】
かかる構成により、各計量皿に関する指示が両側に対して同時に行われることにより、一方の側から葉物などの長さや幅のある野菜類の載置を行い、逆側からピックアップを行うことが出来、その際に載置側からもピックアップ側からも最適組み合わせ位置が確認出来、葉物等の長さや幅のある野菜類や食品の載置及びピックアップをを容易にするとともに作業効率が向上した。
【００９７】
載置する際には、載置側からは葉菜の株側（根の付いている側）を相手側（ピックアップ側）に向けて計量皿に載せると、ピックアップが容易になり作業効率が向上する。ピックアップ側からは最適組み合わせ位置の指示灯火に則りピックアップを行うが、その際載置側からも指示灯火の位置が視認できるので、次の葉菜の載置の予備動作ができ、この点でも作業効率の向上が図られた。
【００９８】
また本発明に於いては、該組み合わせ計量機において、該選択された最適組み合わせ或いは近似値の範囲に包含される重量組み合わせの重量計測部位を示す指示機構が灯火によるものであって、該選択された最適組み合わせの重量計測部位を示す場合は指示機構の灯火が連続点灯し、該近似値の範囲に包含される重量組み合わせの重量計測部位を示す場合は指示機構の灯火が点滅することも有効である。
【００９９】
また本発明に於いては、該組み合わせ計量機において、該選択された最適組み合わせ或いは近似値の範囲に包含される重量組み合わせの重量計測部位を示す指示機構が多色に点灯する着色灯火であって、該選択された最適組み合わせの重量計測部位を示す場合の指示機構の点灯色と、該近似値の範囲に包含される重量組み合わせの重量計測部位を示す場合の指示機構の点灯色が異なるようにすることも良い。
【０１００】
本実施例に於いては、指示機構の灯火は、ＬＥＤによるものとしたが、灯火はその他の発光素子を用いても問題ない。
【０１０１】
また本発明に於いては、該組み合わせ計量機において、該選択された最適組み合わせ或いは近似値の範囲に包含される重量組み合わせの重量計測部位を示す指示機構は、音声によるものでもよく、ブザー又はスピーカーが好適に用いられる。
【０１０２】
また本発明に於いては、該組み合わせ計量機において、規定重量範囲内の最適組み合わせが存在しない場合であって近似値の範囲に包含される重量組み合わせに係る組み合わせ重量を表示するようにしてもよい。
【０１０３】
また本発明に於いては、該重量計測部位に用いる計量皿は、サイズの異なる計量皿に交換して用いる事ようにすることができる。さらに、該重量計測部位に用いる計量皿は、サイズの異なる計量皿を混在して用い、親子計量ができるようにすることができる。
【０１０４】
本発明に係る組み合わせ計量機及び組み合わせ計量機を用いた計量方法は、簡素な構成で葉物等の長さや幅のある野菜類や食品の最適組み合わせを測定指示し、作業効率を改善した組み合わせ計量機及びその組み合わせ計量機を用いた計量方法を実現することが出来た。
【産業上の利用可能性】
【０１０５】
本発明に係る組み合わせ計量機及び組み合わせ計量機を用いた計量方法は、簡素な構成で葉物等の長さや幅のある野菜類や食品の最適組み合わせを測定指示し、作業効率を改善した組み合わせ計量機及びその組み合わせ計量機を用いた計量方法を実現し、産業上の利用可能性は大である。
【符号の説明】
【０１０６】
１    葉菜用秤量皿
２    両側の上端が外側に張り出した部分
３    秤量皿
４    指示灯火
【図１】
2018054345.tif 000003
【図２】
2018054345.tif 000004
【図３】
2018054345.tif 000005